(57)【特許請求の範囲】
【請求項１】
網戸枠用ネット張設溝四隅に使用する直角の網戸枠用ネット留め具と、網戸枠用ネット張設溝四辺に使用する直線の網戸枠用ネット留め具の２種類の形状で、この２種類の網戸枠用ネット留め具を一緒に使用することにより網戸枠用ネットを傷つけずに網戸枠用ネット張りの煩わしさを解消する網戸枠用ネット留め具であって、網戸枠用ネット留め具の形状は筒状となっており表面の部分と表面から空洞までの間で硬さの異なる２層構造であって、この網戸枠用ネット留め具の２層構造の素材はゴム系とプラスチック系の組み合わせの２層構造、ゴム系のみの２層構造、プラスチック系のみの２層構造の３種類で、この網戸枠用ネット留め具の２層構造の筒の芯の部分の空洞は円又は多角形とし表面の形状には４つもしくは４つ以上の凹凸を備えることを特徴とする網戸枠用ネット留め具。
【請求項２】
上記網戸枠四隅の網戸枠用ネット張設溝に使用する網戸枠用ネット留め具は直角となっており上記網戸枠四隅の網戸枠用ネット張設溝に網戸枠用ネット留め具を押し込むことが出来る器具等を利用し押し込むだけで、はめることができる事を特徴とする請求項１に記載の網戸枠用ネット留め具。
【請求項３】
上記網戸枠用ネット張設溝四辺の直線部分で網戸枠用ネット張設溝に網戸枠用ネット留め具を押し込むことが出来る器具等で押し込むだけの網戸枠用ネット留め具であり、長さを調節するために切ったりして使用でき、残った網戸枠用ネット留め具は次回にも使用できる事を特徴とする請求項１に記載の網戸枠用ネット留め具。
【発明の詳細な説明】
【技術分野】
【０００１】
本発明は、上記網戸枠のネット張りの煩わしさを解消する為の留め具に関するものである。
【背景技術】
【０００２】
従来から上記網戸枠のネットを張るためには紐状に連続した押さえゴムを使用し、均等にネットの張りを整えつつ、上記押さえゴムを引っ張りながら、上記ゴムの押し込み用のローラー等を使用して上記網戸枠の張設溝に埋め込んでいく方法である。
【０００３】
ところが、上記押さえゴムを引っ張りながら上記ローラー等を使用し上記網戸枠の張設溝に上記ゴムをはめ込んでいくと反対側のネットが引っ張られ弛んだり、上記ゴムの押し込みが足りないとネットを引っ張った際に上記網戸枠の張設溝にはめ込んだはずの上記ゴムが外れる等、ネットを均等に弛み無く張るのには難しさがある。
【先行技術文献】
【特許文献】
【０００４】
【特許文献１】特開２００９−２４９９７１号公報
【発明の概要】
【発明が解決しようとする課題】
【０００５】
上記網戸用ネットを張る際にネットの弛みがなく張設するにはネット全体を固定させながら張る必要がある。しかし現状のネット張設作業では上記押さえゴムを使用する場合にネットを押さえながら上記張設溝に押し込んで行く為ネット全体を固定することは困難であり、熟練を要しないとネットが弛んだり皺が出たり歪んだりすることもある。
【０００６】
また、上記ローラーを用いて上記押さえゴムを上記張設溝に押し込んで行く為、素人が行うと上記張設溝に押し込む際に上記張設溝の縁部分が下敷きになり上記ローラーがネットの上をなぞる為、上記ゴムの押し込む力加減の入れ方によってはネットを傷つけ劣化させ、切れやすくする等の欠点がある。
【０００７】
本発明は網戸用ネットを張る際にネットの弛みをなくし、ネットも傷つけず、留め具を取り出す時は留め具端の筒状の穴に取り出し器具等で引っ掛け取り出すことが容易であり、かつ上記網戸本体の溝の部分の改良も必要無く未経験者でも容易に網戸用ネットを張ることができる事を課題とする。
【課題を解決するための手段】
【０００８】
本発明の留め具は上記網戸枠のネット張設溝四隅に使用する直角とネット張設溝四辺に使用する直線の２種類の形状で、この２種類の留め具を一緒に使用することによりネットを傷つけずにネット張りの煩わしさを解消する事を特徴とするものである。
【０００９】
留め具の形状は筒状となっており表面の部分と表面から空洞までの間で硬さが異なる２層構造であって、この素材は上記構造からゴム系とプラスチック系の組み合わせの２層構造、ゴム系のみの２層構造、プラスチック系のみの２層構造の３種類で、筒の芯の部分の空洞は円又は多角形とし、表面の形状には４つもしくは４つ以上の凹凸を備えるのが好ましい。
【００１０】
上記網戸枠四隅のネット張設溝に使用する留め具は直角となっており上記網戸枠四隅のネット張設溝に留め具を押し込むことが出来る器具等を利用し押し込むだけで、留め具のはめ易さを特徴とする。
【００１１】
上記網戸枠の四辺の直線部分でネット張設溝に留め具を押し込むことが出来る器具等を利用し押し込むだけで、また留め具の長さを調整する為に切ったりすることが可能で、切り残った留め具は次回ネット張替時にも使用できる。
【発明の効果】
【００１２】
本発明の留め具は、上記網戸枠のネットの四隅張設溝に固定することによりネットを均等な張りを保ったうえで四辺張設溝に本案の留め具にてはめ込むだけの作業となり、ローラー等を使用することによる上記網戸枠のネットの劣化防止と作業の容易さが本発明の利点である。
【図面の簡単な説明】
【００１３】
【図１】図１は上記網戸枠の四隅を固定する留め具の第三角法による投影図の正面図と右側面図である。
【図２】図２は上記網戸枠の四隅を固定する留め具の第三角法による投影図の平面図と下面図である。
【図３】図３は上記網戸枠の四隅を固定する留め具の第三角法による投影図の左側面図と背面図である。
【図４】図４は図１〜図３で示した留め具をはめ込む際の参考図である。
【図５】図５は図１〜図３に示した留め具の角部分を上記網戸枠角の張設溝に押し込む事が出来る器具等を利用して、押し込んだ際の参考図である。
【図６】図６は図１〜図３に示した留め具が完全に上記網戸枠角の張設溝に、はめ込みが完了した状態の参考図である。
【図７】図７は上記網戸枠の側面を固定する筒状の留め具の第三角法による投影図の正面図である。
【図８】図８は上記網戸枠の側面を固定する筒状の留め具の第三角法による投影図の平面図、右側面図、左側面図、背面図、下面図を示した図である。図８に関して留め具の長さは参考図の為、短く表示した図である。
【図９】図９は図７〜図８で示した留め具をはめ込む際の参考図である。
【図１０】図１０は図７〜図８で示した留め具の端部分を直線の張設溝に、押し込む事が出来る器具等を利用して、はめ込んだ際の参考図である。
【図１１】図１１は図７〜図８で示した留め具が完全に直線の張設溝にはめ込まれた状態の参考図である。
【図１２】図１２は図１〜図３で示した留め具で、ネット張替時に図１〜図３の留め具端の筒状の穴に、取り出す事の出来るフック状の器具等で引っ掛け取り出した際の参考図である。
【図１３】図１３は図７〜図８で示した留め具で、ネット張替時に図７〜図８の留め具端の筒状の穴に、取り出す事の出来るフック状の器具等で引っ掛け取り出した際の参考図である。
【発明を実施するための形態】
【００１４】
以下本発明を実施例で説明するが、押さえゴムの直径の規格以外は以下の実施例に限定されるものではない。
【実施例１】
【００１５】
図１〜図３は上記網戸枠の四隅にはめ込む直角の留め具で角の部分から留め具端の長さは３〜５cmを目安とする長さがよい。図７〜図８は上記網戸枠の四辺にはめ込む直線の留め具であって、図１〜図３と図７〜図８とも正面、両横、上、下から見た場合を示した説明図である。現在の紐状に連続した押さえゴムの直径の規格は2.8mm, 3.5mm, 4.5mm, 5.5mm, 6.8mmがあり直径のサイズは同じものを使用し、例えば本案の留め具は筒状となって直径5.5mmの場合中心の空洞は1mmとし、空洞の端からプラスチック系等の硬めの部分を1.5mmとし、表面のゴム等の柔らかい部分を0.75mmとする。図１〜図３と図７〜図８の留め具の表面の凸凹は上記網戸枠溝内とでネットを挟み滑らない様に柔らかい表面の抵抗を利用し押さえ込んで張設する。
【００１６】
図１〜図３と図７〜図８の留め具の形状は筒状となっており、表面の素材はエラストマー系シリコーン系、その他ゴム系の素材やプラスチック系の合成樹脂などで伸縮性および柔軟性がある柔らかさで、JIS K6253に規定されるタイプAデュロメータにより測定される硬さが30度以上40度未満程度の柔らかい素材を有し、表面と空洞の間はプラスチック系で上記ゴム系の硬さを参照すると60度以上80度未満程度の硬さで簡単に折れたり潰れたりせずカッターやはさみ等で切れる素材を有した２層構造となってゴム系の素材とプラスチック系の素材との厚さの体積比率に関してはゴム系を１とした場合、プラスチック系を１以上とする。
【００１７】
図１〜図３と図７〜図８の留め具に使用する素材は上記２層構造からゴム系とプラスチック系の組み合わせの他に、ゴム系のみでの２層構造、プラスチック系の合成樹脂等のみでの２層構造で製造される３種類の留め具であるが上記留め具の２層構造の素材に関しては必ずゴム系プラスチック系に限らず上記留め具の表面と、空洞から表面までの硬さに関して同じであれば特に限定はしない。
【実施例２】
【００１８】
図４は上記網戸枠四隅の１箇所の部分に図１〜図３で示した留め具をはめ込む際の説明図であって、図５に示す様に留め具の直角の部分を押し込むことが出来る器具等を利用し最初に押し込み、次に両方の端を押し込み図６の状態の様にネットを固定し、四隅の角の箇所を留める順としては対角状に図１〜図３の留め具をはめ込めばネットの弛みなく均等に張ることができる。
【００１９】
図９は網戸の１辺に図７〜図８で示した留め具をはめ込む際の説明図であって各辺の直線の張設溝の長さに合わせた留め具の端の箇所から図１０の様に張設溝に留め具を押し込むことが出来る器具等を利用し押し込みながら逆方向の留め具端に向けて張設溝に押し込み図１１の様にネットを固定し同じ方法にて逆側の張設溝にはめ込んでネットを張り、残りの２辺も同じ方法で行えば弛みがなくネットを張ることができる。この図７〜図８で示した留め具は必要に応じて長さを切ったりして調節し、切り残った留め具は次回のネット張替時に使用することも可能である。
【実施例３】
【００２０】
上記留め具は筒状となっており、留め具を取り出す時は図１２、図１３の様に留め具端の筒状の穴に取り出す事の出来るフック状の器具等で引っ掛け持ち上げて取り出すことが可能で、この留め具は硬さを有することで従来の柔らかいゴムより取出しも容易である。
【産業上の利用可能性】
【００２１】
留め具の表面の素材はエラストマー系シリコーン系、その他ゴム系の素材やプラスチック系の合成樹脂などで伸縮性および柔軟性がある柔らかさとし、この留め具は筒状となっており中心の空洞から柔軟性のある表面との間はプラスチック系の樹脂製品等で硬くし、柔らかい部分と硬い部分の２層構造にすることにより押し易く、はめ易さを実現している。またこの２層構造はゴム系とプラスチック系の組み合わせの２層構造、ゴム系のみの２層構造、プラスチック系のみの２層構造の３種類にて製造されることが可能である。四隅の留め具に関しては上記網戸枠の異なる形状にも適用は可能であり、網戸四辺に使用する筒状の留め具に関しては、カッター等で切れる硬さとし、長さを調節することにより切り残った直線の留め具は次回にも使用することが可能である。作業者は熟練性を必要としないので容易にこの留め具を使用出来る事から、有用な経済性を持って商業化が可能である。
【符号の説明】
【００２２】
１ アルミニウム製網戸枠四隅用留め具
２ 表面は伸縮性および柔軟性があるゴム系またはプラスチック系の素材
３ 表面から空洞の間はゴム系またはプラスチック系の硬い部分
４ 空洞
５ アルミニウム製網戸枠用ネット
６ 網戸枠
７ 網戸の張設溝
８ 留め具を押し込むことが出来る器具
９ アルミニウム製網戸枠四辺用留め具
１０ 留め具を取り出す事の出来るフック状の器具
【図１】
0006032560.tif 000002
【図２】
0006032560.tif 000003
【図３】
0006032560.tif 000004
【図４】
0006032560.tif 000005
【図５】
0006032560.tif 000006
【図６】
0006032560.tif 000007
【図７】
0006032560.tif 000008
【図８】
0006032560.tif 000009
【図９】
0006032560.tif 000010
【図１０】
0006032560.tif 000011
【図１１】
0006032560.tif 000012
【図１２】
0006032560.tif 000013
【図１３】
0006032560.tif 000014